(57)【要約】【課題】受信画情報を記録紙に印刷する前に受信画情報を表示させることでユーザが記録紙に印刷を望む部分の受信画情報を指定するようにしたファクシミリ装置を提供する。【解決手段】ファクシミリ受信画像データを蓄積する画情報メモリ１０５と、画情報メモリ１０５に蓄積された画像データを記録紙に記録する印刷部１１２と、画情報メモリ１０５に蓄積された画像データを表示する表示部１０９と、表示部１０９に表示された画像データの所定の領域を指定する操作部１１０と、指定された領域情報に基づいて画情報メモリ１０５に蓄積された画像データのうち印刷部１１２によって記録紙に記録する画像データを編集するデータ編集部１１１と、を備える。【選択図】図１
2009141442.tif 000002
【特許請求の範囲】
【請求項１】
ファクシミリ受信画像データを蓄積するデータ蓄積手段と、
前記データ蓄積手段に蓄積された画像データを記録紙に記録する記録出力手段と、
前記データ蓄積手段に蓄積された画像データを表示する表示出力手段と、
前記表示出力手段に表示された画像データの所定の領域を指定する領域指定手段と、
前記領域指定手段によって指定された領域情報に基づいて、前記データ蓄積手段に蓄積された画像データのうち前記記録出力手段によって記録紙に記録する画像データを編集するデータ編集手段と、
を備え、
前記記録出力手段は、前記データ編集手段によって編集された画像データを記録紙に記録することを特徴とするファクシミリ装置。
【請求項２】
前記表示出力手段は、前記画像データを所定領域ごとに分割された分割画像データとして表示し、
前記領域指定手段は、前記分割画像データ内から所望の分割画像データ領域を指定することを特徴とする請求項１に記載のファクシミリ装置。
【請求項３】
前記領域指定手段は、前記画像データ内から始点位置情報と終点位置情報とに基づいて矩形状に領域指定することを特徴とする請求項１に記載のファクシミリ装置。
【発明の詳細な説明】
【技術分野】
【０００１】
本発明は、画情報を受信するファクシミリ装置に関すものであり、特に、受信した画情報の内容を確認して記録紙に印刷するようにしたファクシミリ装置に関するものである。
【背景技術】
【０００２】
近年、文字データや画像データを含む画情報を受信するファクシミリ装置には、受信した画情報をＬＣＤなどの表示装置の画面に表示させて、その内容を確認することができる機能が備わっている。これにより、ユーザは不要な受信画情報を記録紙に印刷しないようにすることができるため、記録紙を節約することが可能となる。
【０００３】
このため、この機能を利用するユーザの操作性を向上させる技術が様々に提案されている。例えば、下記の特許文献１（特開２００４−３６４１９６号公報）には、所定の相手から受信した受信画情報は印刷すると共に、他から受信した受信画情報は表示することができる技術が開示されている。
【０００４】
この特許文献１に開示された技術によれば、着呼するファクシミリ番号に対応付けて、記録紙への印刷処理または受信画情報記憶部への記憶処理を行う旨を着信記憶部に記憶しておき、ＦＡＸ受信部でＦＡＸを受信したとき、発信者番号検出部で検出した発信者番号に対応する処理内容を着信記憶部から選択し、該選択した処理を受信画情報に対して行うように構成されている。
【０００５】
このように構成することにより、着呼した発信者番号に応じて、受信画情報を受信画情報記憶部に記憶すると共に受信画情報表示部に表示させ、あるいは、受信画情報記録部で記録紙に印刷することが可能となり、利用者の操作性を向上させると共に記録紙を節約することが可能になる。
【特許文献１】特開２００４−３６４１９６号公報（段落［０００６］、図１）
【発明の開示】
【発明が解決しようとする課題】
【０００６】
ところで、上記特許文献１に開示された技術によれば、ユーザは不要な受信画情報を記録紙に印刷しないようにすることができるものの、その制御は受信画情報全体を対象として記録紙に印刷する／しないの選択だけであり、受信画情報の一部を対象として記録紙に印刷する／しないの選択が行えるものではなかった。
【０００７】
このため、ユーザにとって不要と思われる部分の受信画情報も記録紙に印刷されてしまうことがあり、無駄にインクが消費されてしまうという問題点がある。
【０００８】
したがって、インクの消費コストを抑えることができるように、ユーザが記録紙に印刷を望む部分の受信画情報のみを容易に指定でき、所望の受信画情報のみを記録紙に印刷することができる方法の実現が望まれている。
【０００９】
本願の発明者は上記の問題点を解消すべく種々検討を重ねた結果、受信画情報を記録紙に印刷する際に、ユーザが記録紙に印刷を望む部分の受信画情報を指定するようになせば、上記の問題点を解消し得ることを想到し本発明を完成するに至ったものである。
【００１０】
すなわち、本発明は、上記の問題点を解消することを課題とし、受信画情報を記録紙に印刷する前に受信画情報を表示させることでユーザが記録紙に印刷を望む部分の受信画情報を指定するようにしたファクシミリ装置を提供することを目的とするものである。
【課題を解決するための手段】
【００１１】
前記課題を解決するために、本願の請求項１にかかる発明は、ファクシミリ受信画像データを蓄積するデータ蓄積手段（例えば下記実施例では、画情報メモリ１０５に相当する）と、前記データ蓄積手段に蓄積された画像データを記録紙に記録する記録出力手段（例えば下記実施例では、印刷部１１２に相当する）と、前記データ蓄積手段に蓄積された画像データを表示する表示出力手段（例えば下記実施例では、表示部１０９に相当する）と、前記表示出力手段に表示された画像データの所定の領域を指定する領域指定手段（例えば下記実施例では、操作部１１０に相当する）と、前記領域指定手段によって指定された領域情報に基づいて、前記データ蓄積手段に蓄積された画像データのうち前記記録出力手段によって記録紙に記録する画像データを編集するデータ編集手段（例えば下記実施例では、データ編集部１１１に相当する）と、を備え、前記記録出力手段は、前記データ編集手段によって編集された画像データを記録紙に記録することを特徴とする。
【００１２】
また、本願の請求項２にかかる発明は、請求項１にかかるファクシミリ装置において、前記表示出力手段は、前記画像データを所定領域ごとに分割された分割画像データとして表示し、前記領域指定手段は、前記分割画像データ内から所望の分割画像データ領域を指定することを特徴とする。
【００１３】
また、本願の請求項３にかかる発明は、請求項１にかかるファクシミリ装置において、前記領域指定手段は、前記画像データ内から始点位置情報と終点位置情報とに基づいて矩形状に領域指定することを特徴とする。
【発明の効果】
【００１４】
請求項１にかかる発明においては、ファクシミリ装置は、ファクシミリ受信画像データを蓄積するデータ蓄積手段と、前記データ蓄積手段に蓄積された画像データを記録紙に記録する記録出力手段と、前記データ蓄積手段に蓄積された画像データを表示する表示出力手段と、前記表示出力手段に表示された画像データの所定の領域を指定する領域指定手段と、前記領域指定手段によって指定された領域情報に基づいて、前記データ蓄積手段に蓄積された画像データのうち前記記録出力手段によって記録紙に記録する画像データを編集するデータ編集手段と、を備え、前記記録出力手段は、前記データ編集手段によって編集された画像データを記録紙に記録する。
【００１５】
このような構成によれば、ユーザにとって不要と思われる部分の受信画情報を記録紙に印刷されないように設定することができるため、記録紙を節約することが可能であるとともに、インクの消費コストを抑えることも可能である。
【００１６】
また、請求項２にかかる発明のおいては、請求項１にかかるファクシミリ装置において、前記表示出力手段は、前記画像データを所定領域ごとに分割された分割画像データとして表示し、前記領域指定手段は、前記分割画像データ内から所望の分割画像データ領域を指定する。
【００１７】
このような構成によれば、ユーザにとって不要と思われる部分の受信画情報を記録紙に印刷されないように設定することができるため、記録紙を節約することが可能であるとともに、インクの消費コストを抑えることも可能である。また、ユーザにとって不要と思われる受信画情報の指定も容易となるため、ユーザにとっての利便性が向上する。
【００１８】
また、請求項３にかかる発明のおいては、請求項１にかかるファクシミリ装置において、前記領域指定手段は、前記画像データ内から始点位置情報と終点位置情報とに基づいて矩形状に領域指定する。
【００１９】
このような構成によれば、ユーザにとって不要と思われる部分の受信画情報を記録紙に印刷されないように設定することができるため、記録紙を節約することが可能であるとともに、インクの消費コストを抑えることも可能である。また、ユーザにとって不要と思われる受信画情報の指定も容易となるため、ユーザにとっての利便性が向上する。
【発明を実施するための最良の形態】
【００２０】
以下、本発明の具体例を実施例及び図面を用いて詳細に説明する。但し、以下に示す実施例は、本発明の技術思想を具体化するためのファクシミリ装置を例示するものであって、本発明をこのファクシミリ装置に特定することを意図するものではなく、特許請求の範囲に含まれるその他の実施形態のファクシミリ装置にも等しく適用し得るものである。
【実施例１】
【００２１】
図１は、本発明の実施例にかかるファクシミリ装置の構成を示すブロック図である。ファクシミリ装置１０は、制御部１０１、モデム１０２、符号化／復号化部１０３、読み取り部１０４、画情報メモリ１０５、ＲＯＭ１０６、ＲＡＭ１０７、バッファメモリ１０８、表示部１０９、操作部１１０、データ編集部１１１、印刷部１１２などを備えて構成されている。
【００２２】
なお、画情報メモリ１０５は本発明のデータ蓄積手段に相当し、表示部１０９は本発明の表示出力手段に相当し、操作部１１０は本発明の領域指定手段に相当し、データ編集部１１１は本発明のデータ編集手段に相当し、印刷部１１２は本発明の記録出力手段に相当する。
【００２３】
制御部１０１は、マイクロプロセッサを中心に構成され、一般的なコンピュータ装置と同様にＲＯＭ１０６、ＲＡＭ１０７などのメモリと接続されており、ＲＯＭ１０６に格納されている各種制御プログラムを読み出し、ＲＡＭ１０７内のプログラム格納領域に展開し、該制御プログラムに従って各部の動作を制御する。
【００２４】
モデム１０２は、電話回線Ｌに接続され、着信信号をパルス信号に波形整形して出力する着信検出回路、電話回線Ｌに接続されて回線の解放・閉結を行うための極性反転検出回路、電話回線Ｌを介して送受信されるファクシミリ通信に用いる各種信号（画情報等）を変復調する変復調回路、操作部１１０から入力された電話番号情報に基づいて電話回線Ｌへダイヤル信号を送出させるダイヤル発信回路などから構成されている。
【００２５】
符号化／復号化部１０３は、電話回線Ｌを介して送受信される画情報の符号化復号化を行う。具体的には、２値化データ（画情報データ）をＭＨ、ＭＲ、ＭＭＲなどのファクシミリ通信用の圧縮データ（画情報）に符号化し、圧縮データ（画情報）を画情報データに復号化するためのものである。
【００２６】
読み取り部１０４は、ファクシミリ通信を行う場合に原稿を読み取るイメージスキャナなどで構成されている。
【００２７】
画情報メモリ１０５は、例えば、ＤＲＡＭからなり、電話回線Ｌを介して受信された画情報データや読み取り部１０４により読み取られた画情報データを格納する。ＲＯＭ１０６は、ファクシミリ装置を動作させる為の各種プログラム（制御プログラム）を格納する。ＲＡＭ１０７は、ファクシミリ動作時に必要な各種データを格納する。
【００２８】
バッファメモリ１０８は、モデム１０２が電話回線を介して受信した画情報データを画情報メモリ１０５へ転送する際に一時的に蓄積するために使用され、また、データ編集部１１１によって編集された画情報データを印刷部１１２へ転送する際に一時的に蓄積するために使用される。
【００２９】
表示部１０９は、例えば、ＬＣＤや有機ＥＬＤなどのディスプレイパネルなどから構成される表示ユニットであり、制御部１０１からの制御信号に応じて、現在の通信状態やダイヤル入力時の相手先ＦＡＸ番号など各種のテキスト情報を表示する。
【００３０】
また、本実施例の表示部１０９は、モデム１０２が電話回線を介して受信した画情報データを表示する。この画情報データは、画情報メモリ１０５に格納されているのをユーザが操作部１１０を用いて選択的に読み出したものでもよいし、バッファメモリ１０８に一時的に蓄積されているのを自動的に読み出したものでもよい。
【００３１】
また、本実施例の表示部１０９は、表示された画情報データの中からユーザが所望する部分のみを記録紙へ印刷出力することを希望する場合に、その部分を選択できるように、画情報データの表示画面上に重なる態様で画情報データを所定領域ごとに分割する罫線と各領域を識別するための識別番号とを表示する。
【００３２】
操作部１１０は、テンキーや各種機能キーなどを備えた操作ボタンや抵抗膜方式やセンサ方式などのタッチパネルなどにより構成され、操作ボタンから所要の数値や文字を入力したり、タッチパネル上に表示されたアイコンを指やペンなどで押圧あるいは接触したりすることで相手先のＦＡＸ番号入力や画情報メモリ１０５に格納されている画情報データの中からユーザが所望する部分の印刷などの操作指示などを受け付け、その受け付けた各種の操作指示を動作制御信号として制御手段１０１へ出力する。
【００３３】
データ編集部１１１は、表示部１０９の表示画面に表示された画情報データの中から操作部１１０によってユーザが所望する領域部分が選択された際に、画情報メモリ１０５に格納されている画情報データの中から選択された領域部分に対応する画情報データを部分的に抽出するなどして編集する。編集された画情報データはバッファメモリ１０８に一時的に蓄積される。
【００３４】
印刷部１１２は、例えば、熱転写、感熱、電子写真、またはインクジェット方式のプリンタからなり、画情報メモリ１０５に格納されている画情報データやデータ編集部１１１によって編集されてバッファメモリ１０８に一時的に蓄積されている画情報データなどを印刷する。
【００３５】
ファクシミリ装置１０は、操作部１１０からファクシミリ受信した画情報データの表示要求があると、制御部１０１は画情報メモリ１０５の画情報データを参照して所望の画情報データを読み出して表示部１０９に表示する。そして、表示部１０９に表示された画情報データの中から操作部１１０によってユーザが所望する領域部分が選択されると、データ編集部１１１は、画情報メモリ１０５に格納されている画情報データの中から選択された領域部分に対応する画情報データを抽出するなどしてユーザが所望する領域部分の画情報データをバッファメモリ１０８に格納する。制御部１０１は、バッファメモリ１０８に一時的に蓄積された画情報データを印刷部１１２から記録紙へ印刷出力する。
【００３６】
なお、表示部１０９に表示された画情報データの中からユーザが記録紙への印刷出力を希望する所定領域を指定する方法は、表示部１０９の表示画面に画情報データを所定領域ごとに分割する罫線を表示させ、操作部１１０から記録紙への印刷出力を希望する所定領域に対応する識別番号を指定する方法や、操作部１１０から記録紙への印刷出力を希望しない所定領域に対応する識別番号を指定する方法であってもよい。
【００３７】
図２は、本発明の実施例１にかかる印刷出力領域の指定方法を示す図である。
【００３８】
具体的には、図２（ａ）は、操作部１１０からファクシミリ受信した画情報データの表示要求があった際に、画情報メモリ１０５から読み出されて表示部１０９に表示された画情報データである。表示部１０９の表示画面２０１には、ユーザが操作部１１０から指定した画情報データ２０２が表示されている。
【００３９】
さらに、図２（ｂ）は、表示部１０９の表示画面２０１に表示された画情報データの中からユーザが所望する領域部分の選択を行う要求があった際に、画情報データに重なる態様で表示部１０９に表示された画情報データを所定領域ごとに分割する罫線と各領域を識別するための識別番号である。表示部１０９の表示画面２０１には、画情報データ２０２に重なる態様で画情報データを所定領域ごとに分割する罫線２０３と各領域を識別するための識別番号２０４が表示されている。
【００４０】
図２（ｂ）に示すように罫線２０３と識別番号２０４が表示された状態において、ユーザが操作部１１０から所望の番号、例えば「３」のキーボタンを押下すれば、データ編集部１１１は、所定領域1)〜3)に含まれる画情報データをユーザが記録紙への印刷出力を希望する画情報データであると認識し、これに対応する画情報データを画情報メモリ１０５から抽出してバッファメモリ１０８に蓄積する。バッファメモリ１０８に一時的に蓄積された画情報データは印刷部１１２を介して記録紙へ印刷出力される。
【００４１】
図３は、印刷部によって記録紙へ印刷出力された画情報の一例を示す図である。図３に示すように、記録紙３０１には、図２（ｂ）に示された領域1)〜3)に含まれる画情報のみが印刷される。
【００４２】
なお、上記実施例では、記録紙へ印刷出力する領域1)〜3)を指定する方法として、所定領域の終端領域3)に対応する識別番号のみを操作部１１０から入力する方法について説明したが、指定方法はこれに限ることなく、例えば、所定領域の始端領域1)と終端領域3)に対応する識別番号を操作部１１０から入力する方法や、所定領域に該当する全ての識別番号を操作部１１０から入力する方法や、記録紙へ印刷出力しない領域4)に対応する識別番号を操作部１１０から入力する方法を採用することも可能である。
【００４３】
また、上記実施例では、指定領域に対応する識別番号の入力方法として、操作部１１０から該当するキーボタンを押下する方法について説明したが、入力方法はこれに限ることなく、例えば、表示部１０９の表示画面２０１上にタッチパネル式の操作部１１０が設けられている場合には、表示されている所定領域の中から記録紙へ印刷出力する領域あるいは記録紙へ印刷出力しない領域を指やペンなどで押圧あるいは接触したりすることで指定領域に対応する識別番号を入力する方法を採用することも可能である。
【００４４】
次に、本発明にかかるファクシミリ装置の画情報印刷動作について説明する。
【００４５】
図４は、本実施例にかかるファクシミリ装置の動作を示すフローチャートである。
【００４６】
なお、図４に示す動作は制御部１０１に接続されたＲＯＭ１０６に記憶されているシステムプログラムを実行することで実現される。
【００４７】
図４のフローチャートにおいて、ステップＳ４００において、制御部１０１がモデム１０２を制御することにより、電話回線Ｌを介して送信されてきたファクシミリ画像を受信する。そして、ステップＳ４０１において、制御部１０１が符号化／復号化部１０３を制御することにより、ステップＳ４００にて受信した画情報を２値化の画情報データに復号化して、バッファメモリ１０８を介して画情報メモリ１０５に格納する。
【００４８】
そして、ステップＳ４０２において、制御部１０１は、ユーザが受信したファクシミリ画像の内容を表示部１０９において確認するために操作部１１０から画情報メモリ１０５に格納されている画情報データを表示部１０９へ表示する指示があるか否か判定し、表示する指示がある場合にはステップＳ４０３の処理に進み、一方、表示する指示がない場合にはステップＳ４０４の処理に進む。
【００４９】
次に、ステップＳ４０３において、制御部１０１は、画情報メモリ１０５に格納されている画情報データの中から操作部１１０を用いてユーザが選択した画情報データを読み出して表示部１０９に表示して、ステップＳ４０４の処理に進む。
【００５０】
そして、ステップＳ４０４において、制御部１０１は、操作部１１０から受信したファクシミリ画像を印刷部１１２から記録紙へ印刷出力する指示があるか否か判定し、印刷出力する指示がある場合にはステップＳ４０５の処理に進み、一方、印刷出力する指示がない場合には処理を終了する。
【００５１】
次に、ステップＳ４０５において、制御部１０１は、操作部１１０から表示された画情報データの中からユーザが所望する領域部分のみを記録紙へ印刷出力する指示があるか否か判定し、印刷領域の指定がある場合にはステップＳ４０６の処理に進み、一方、印刷領域の指定がない場合には画情報メモリ１０５に格納されている画情報データをバッファメモリ１０８に格納してステップＳ４０８の処理に進む。
【００５２】
ステップＳ４０６において、制御部１０１は、操作部１１０からユーザが記録紙への印刷出力を希望する所定領域の指定を受けると、ステップＳ４０７では、データ編集部１１１は、画情報メモリ１０５に格納されている画情報データの中から指定された所定領域に対応する画情報データを抽出するなどしてユーザが所望する領域部分の画情報データをバッファメモリ１０８に格納する。
【００５３】
そして、ステップＳ４０８において、制御部１０１は、バッファメモリ１０８に一時的に蓄積された画情報データを印刷部１１２から記録紙へ印刷出力して処理を終了する。
【実施例２】
【００５４】
次に、本発明の実施例２の構成について説明する、実施例２にかかるファクシミリ装置の構成は基本的に図１に示す構成とほぼ同様であるが、表示部１０９に表示された画情報データの中からユーザが所望する部分のみを記録紙へ印刷出力することを希望する際に、その部分を指定する方法が実施例１と異なる。
【００５５】
そして、操作部１１０は、表示部１０９の表示画面に表示された画情報データの中からユーザが所望する領域部分を選択する際に、その領域の始点や終点となる位置を指定するためにカーソル（十字カーソル）を移動させるためのカーソル移動キーを有している。
【００５６】
図５は、本発明の実施例２にかかる印刷出力領域の指定方法を示す図である。図５に示すように、表示部１０９の表示画面２０１に表示された画情報データ２０２の中からユーザが所望する領域部分の選択を行う場合には、表示画面２０１にカーソル５０１を表示させて操作部１１０のカーソル移動キーを操作して始点となるポイント５０２と終点となるポイント５０３を指定することで始点と終点とを対角とする矩形領域５０４を指定する。
【００５７】
データ編集部１１１は、矩形領域５０４に含まれる画情報データをユーザが記録紙への印刷出力を希望する画情報データであると認識し、これに対応する画情報データを画情報メモリ１０５から抽出してバッファメモリ１０８に蓄積する。バッファメモリ１０８に一時的に蓄積された画情報データは、図３に示すように印刷部１１２を介して記録紙３０１へ印刷出力される。
【００５８】
なお、上記実施例では、矩形領域の入力方法として、操作部１１０のカーソル移動キーを用いた方法について説明したが、入力方法はこれに限ることなく、例えば、表示部１０９の表示画面２０１上にタッチパネル式の操作部１１０が設けられている場合には、記録紙へ印刷出力する矩形領域あるいは記録紙へ印刷出力しない矩形領域の始点および終点となる位置座標を指やペンなどで押圧あるいは接触したりすることで入力する方法を採用することも可能である。
【００５９】
以上説明したように本発明にかかるファクシミリ装置によれば、ユーザにとって不要と思われる部分の受信画情報を記録紙に印刷されないように設定することができるため、記録紙を節約することができる。また、インクの消費コストを抑えることも可能である。さらに、ユーザにとって不要と思われる受信画情報の指定も容易となるため、ユーザにとっての利便性が向上する。
【図面の簡単な説明】
【００６０】
【図１】本発明の実施例にかかるファクシミリ装置の構成を示すブロック図である。
【図２】本発明の実施例１にかかる印刷出力領域の指定方法を示す図である。
【図３】本発明の実施例にかかる印刷部によって記録紙へ印刷出力された画情報の一例を示す図である。
【図４】本実施例にかかるファクシミリ装置の動作を示すフローチャートである。
【図５】本発明の実施例２にかかる印刷出力領域の指定方法を示す図である。
【符号の説明】
【００６１】
１０・・・・・ファクシミリ装置
１０１・・・・制御部
１０２・・・・モデム
１０３・・・・符号化／復号化部
１０４・・・・読み取り部
１０５・・・・画情報メモリ
１０６・・・・ＲＯＭ
１０７・・・・ＲＡＭ
１０８・・・・バッファメモリ
１０９・・・・表示部
１１０・・・・操作部
１１１・・・・データ編集部
１１２・・・・印刷部
【図１】
2009141442.tif 000003
【図２】
2009141442.tif 000004
【図３】
2009141442.tif 000005
【図４】
2009141442.tif 000006
【図５】
2009141442.tif 000007